(57)【要約】【課題】  磁気回路及び光記録及び／または再生機器を提供する。【解決手段】  相互隣接し互いに逆に着磁された第１及び第２磁石部と、第１磁石部を取り囲み第１磁石部と逆に着磁された第３磁石部と、第２磁石部を取り囲み第２磁石部と逆に着磁された第４磁石部と、を含む磁石と、フォーカスコイル及びトラックコイルのうち少なくとも何れか一つを備える磁気回路並びにそれを採用した光記録及び／または再生機器。トラックコイルは、それぞれが第１〜第４磁石部のうち２つの磁石部と相互作用するように、トラッキング方向に配置される第１〜第３トラックコイルを含む。フォーカスコイルは、第１〜第４フォーカスコイルを含み、第１〜第４フォーカスコイルのうち２つは第１及び第３磁石部と相互作用するようフォーカス方向に配置され、残りの２つは第２及び第４磁石部と相互作用するようフォーカス方向に配置される。【選択図】  図１
2005182988.tif 000002
【特許請求の範囲】
【請求項１】
相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、
それぞれが前記第１ないし第４磁石部のうち２つの磁石部と相互作用するように、一方向に配置される第１ないし第３トラックコイルを含むトラックコイル部と、を含むことを特徴とする磁気回路。
【請求項２】
第１ないし第４フォーカスコイルを含み、前記第１ないし第４フォーカスコイルのうち２つのフォーカスコイルが、前記第１及び第３磁石部と相互作用するように前記一方向と交差する他の方向に配置された前記トラックコイルの両側に配置され、残りの２つのフォーカスコイルが、前記第２及び第４磁石部と相互作用するように前記他の方向に配置された前記トラックコイルの両側に配置されるフォーカスコイル部と、をさらに含むことを特徴とする請求項１に記載の磁気回路。
【請求項３】
前記フォーカスコイルは、フォーカス駆動とチルト駆動とに使われることを特徴とする請求項２に記載の磁気回路。
【請求項４】
前記第１ないし第４フォーカスコイルと重畳されるように配置された第１ないし第４チルトコイルを含むチルトコイルをさらに含むことを特徴とする請求項２に記載の磁気回路。
【請求項５】
前記第１ないし第３トラックコイルそれぞれは、複数層構造よりなることを特徴とする請求項１に記載の磁気回路。
【請求項６】
前記トラックコイルは、微細パターンコイルよりなることを特徴とする請求項１に記載の磁気回路。
【請求項７】
相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、
第１ないし第４フォーカスコイルを含み、前記第１ないし第４フォーカスコイルのうち２つのフォーカスコイルが、前記第１及び第３磁石部と相互作用するようにフォーカス方向に配置され、残りの２つのフォーカスコイルが、前記第２及び第４磁石部と相互作用するようにフォーカス方向に配置されるフォーカスコイル部と、を含むことを特徴とする磁気回路。
【請求項８】
前記第１ないし第４フォーカスコイルそれぞれは、複数層構造よりなることを特徴とする請求項７に記載の磁気回路。
【請求項９】
前記フォーカスコイルは、フォーカス駆動とチルト駆動とに使われることを特徴とする請求項７に記載の磁気回路。
【請求項１０】
前記第１ないし第４フォーカスコイルと重畳されるように配置された第１ないし第４チルトコイルを含むチルトコイルをさらに含むことを特徴とする請求項７に記載の磁気回路。
【請求項１１】
前記第１ないし第４チルトコイルそれぞれは、複数層構造よりなることを特徴とする請求項１０に記載の磁気回路。
【請求項１２】
前記チルトコイルは、微細パターンコイルよりなることを特徴とする請求項４または１０に記載の磁気回路。
【請求項１３】
前記フォーカスコイルは、微細パターンコイルよりなることを特徴とする請求項２ないし４、７ないし１１のうち何れか１項に記載の磁気回路。
【請求項１４】
前記磁石は、４極の平面磁石、または第１及び第３磁石部よりなる２極の平面磁石と第２及び第４磁石部よりなる２極の平面磁石とを結合させたもののうち何れか一方であることを特徴とする請求項１ないし１１のうち何れか１項に記載の磁気回路。
【請求項１５】
対物レンズを駆動するアクチュエータを備え、光情報保存媒体の半径方向に移動可能に設置されて光情報保存媒体から／に情報を再生／記録する光ピックアップと、該光ピックアップをサーボ制御するための制御部とを含む光記録及び／または再生機器において、
前記アクチュエータは、
対物レンズが搭載されるレンズホルダーと、前記レンズホルダーがベースに対して動けるように、一端が前記レンズホルダーの側面に固定され、他端が前記ベース上の片側に設けられたホルダーに固定される支持部材と、前記レンズホルダーの両側面及びベースに設置された相互に対向する一対の磁気回路と、を含み、
前記一対の磁気回路のうち少なくとも一つは、
相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、
それぞれが前記第１ないし第４磁石部のうち２つの磁石部とそれぞれ相互作用するように、一方向に配置される第１ないし第３トラックコイルを含むトラックコイル部と、を含むことを特徴とする光記録及び／または再生機器。
【請求項１６】
第１ないし第４フォーカスコイルを含み、前記第１ないし第４フォーカスコイルのうち２つのフォーカスコイルが、前記第１及び第３磁石部と相互作用するように前記一方向と交差する他の方向に配置された前記トラックコイルの両側に配置され、残りの２つのフォーカスコイルが、前記第２及び第４磁石部と相互作用するように前記他の方向に配置された前記トラックコイルの両側に配置されるフォーカスコイル部をさらに含むことを特徴とする請求項１５に記載の光記録及び／または再生機器。
【請求項１７】
前記フォーカスコイルは、フォーカス駆動とチルト駆動に使われることを特徴とする請求項１６に記載の光記録及び／または再生機器。
【請求項１８】
前記第１ないし第４フォーカスコイルと重畳されるように配置された第１ないし第４チルトコイルを含むチルトコイルをさらに含むことを特徴とする請求項１６に記載の光記録及び／または再生機器。
【請求項１９】
前記第１ないし第３トラックコイルそれぞれは、複数層構造よりなることを特徴とする請求項１５に記載の光記録及び／または再生機器。
【請求項２０】
前記トラッキングコイルは、微細パターンコイルよりなることを特徴とする請求項１５に記載の光記録及び／または再生機器。
【請求項２１】
対物レンズを駆動するアクチュエータを備え、光情報保存媒体の半径方向に移動可能に設置されて光情報保存媒体から／に情報を再生／記録する光ピックアップと、該光ピックアップをサーボ制御するための制御部とを含む光記録及び／または再生機器において、
前記アクチュエータは、
対物レンズが搭載されるレンズホルダーと、前記レンズホルダーがベースに対して動けるように、一端が前記レンズホルダーの側面に固定され、他端が前記ベース上の片側に設けられたホルダーに固定される支持部材と、前記レンズホルダーの両側面及びベースに設置された相互に対向する一対の磁気回路と、を含み、
前記一対の磁気回路のうち少なくとも一つは、
相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、
第１ないし第４フォーカスコイルを含み、前記第１ないし第４フォーカスコイルのうち２つのフォーカスコイルが、前記第１及び第３磁石部と相互作用するようにフォーカス方向に配置され、残りの２つのフォーカスコイルが、前記第２及び第４磁石部と相互作用するようにフォーカス方向に配置されるフォーカスコイル部と、を含むことを特徴とする光記録及び／または再生機器。
【請求項２２】
前記第１ないし第４フォーカスコイルそれぞれは、複数層構造よりなることを特徴とする請求項２１に記載の光記録及び／または再生機器。
【請求項２３】
前記フォーカスコイルは、フォーカス駆動とチルト駆動とに使われることを特徴とする請求項２１に記載の光記録及び／または再生機器。
【請求項２４】
前記第１ないし第４フォーカスコイルと重畳されるように配置された第１ないし第４チルトコイルを含むチルトコイルをさらに含むことを特徴とする請求項２１に記載の光記録及び／または再生機器。
【請求項２５】
前記第１ないし第４チルトコイルそれぞれは、複数層構造よりなることを特徴とする請求項２４に記載の光記録及び／または再生機器。
【請求項２６】
前記チルトコイルは、微細パターンコイルよりなることを特徴とする請求項１８または２４に記載の光記録及び／または再生機器。
【請求項２７】
前記フォーカスコイルは、微細パターンコイルよりなることを特徴とする請求項１６ないし１８、２１ないし２５のうち何れか１項に記載の光記録及び／または再生機器。
【請求項２８】
前記磁石は、４極の平面磁石や第１及び第３磁石部よりなる２極の平面磁石と第２及び第４磁石部よりなる２極の平面磁石とを結合させたもののうち何れか一つであることを特徴とする請求項１５ないし２５のうち何れか１項に記載の光記録及び／または再生機器。
【請求項２９】
相互隣接して配置され、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、
それぞれが前記第１ないし第４磁石部のうち２つの磁石部とそれぞれ相互作用するように、第１方向に配置される第１ないし第３トラックコイルを含むトラックコイル部及び、第１ないし第４フォーカスコイルを含み、前記第１ないし第４フォーカスコイルのうち２つのフォーカスコイルが、前記第１及び第３磁石部と相互作用するように前記第１方向にほぼ垂直である第２方向に配置され、残りの２つのフォーカスコイルが、前記第２及び第４磁石部と相互作用するように前記第２方向に配置されるフォーカスコイル部のうち少なくとも何れか一つと、を含むことを特徴とする磁気回路。
【請求項３０】
前記フォーカスコイルは、フォーカス駆動とチルト駆動とに使われることを特徴とする請求項２９に記載の磁気回路。
【請求項３１】
前記フォーカスコイルは、微細パターンコイルよりなることを特徴とする請求項２９に記載の磁気回路。
【請求項３２】
前記トラッキングコイルは、微細パターンコイルよりなることを特徴とする請求項２９に記載の磁気回路。
【請求項３３】
前記第１ないし第４フォーカスコイルと重畳されるように配置された第１ないし第４チルトコイルを含むチルトコイルをさらに含むことを特徴とする請求項２９に記載の磁気回路。
【請求項３４】
前記チルトコイルは、微細パターンコイルよりなることを特徴とする請求項３３に記載の磁気回路。
【請求項３５】
前記第１ないし第４チルトコイルそれぞれは、複数層構造よりなることを特徴とする請求項３３に記載の磁気回路。
【請求項３６】
前記第１ないし第３トラックコイルそれぞれは、複数層構造よりなることを特徴とする請求項２９に記載の磁気回路。
【請求項３７】
前記第１ないし第３４フォーカスコイルそれぞれは、複数層構造よりなることを特徴とする請求項２９に記載の磁気回路。
【請求項３８】
前記磁石は、４極の平面磁石や第１及び第３磁石部よりなる２極の平面磁石と第２及び第４磁石部よりなる２極の平面磁石とを結合させたもののうち何れか一つであることを特徴とする請求項２９に記載の磁気回路。
【請求項３９】
対物レンズを駆動し、光情報保存媒体から／に情報を再生／記録する光ピックアップに位置するアクチュエータを含む光記録及び／または再生機器において、
前記アクチュエータは、
対物レンズが搭載されるレンズホルダーと、
前記レンズホルダーがベースに対して動けるように、一端が前記レンズホルダーの側面に固定され、他端が前記ベース上の片側に設けられたホルダーに固定される支持部材と、
請求項２９ないし３８のうち何れか１項に記載の一対の磁気回路を含み、
トラッキングコイルのそれぞれ及び／またはフォーカスコイルのそれぞれは、前記支持部材が付着されていないレンズホルダーの側面に配置され、各磁石は、前記各トラッキングコイル及び／またはフォーカスコイルに対向するようにベースに配置されることを特徴とする光記録及び／または再生機器。
【発明の詳細な説明】
【技術分野】
【０００１】
本発明は光記録及び／または再生機器に係り、さらに詳細には、高感度を具現できる磁気回路並びにそれを採用した光記録及び／または再生機器に関する。
【背景技術】
【０００２】
一般的に、光ピックアップは、光記録及び／または再生機器に採用されて光情報保存媒体である光ディスクの半径方向に移動しつつ非接触式で光ディスクに／から情報の記録及び／または再生を行う装置である。
【０００３】
このような光ピックアップは、光源から出射された光が光ディスク上の正しい位置に光スポットとして形成されるように、対物レンズをトラッキング方向、フォーカス方向及び／またはチルト方向に駆動する光ピックアップアクチュエータを必要とする。ここで、トラッキング方向駆動は、光スポットがトラックの中心に形成されるように、対物レンズを光ディスクの半径方向に調整することである。
【０００４】
一般的な光ピックアップアクチュエータは、ベースに動作可能に設置されたボビンと、前記ボビンが前記ベースに対して動けるように支持するサスペンションと、前記ボビン及びベースに設置された相互に対向する磁気回路と、を含む構成を有する。
【０００５】
このような光ピックアップアクチュエータは、トラッキング方向とフォーカス方向との駆動、すなわち、２軸駆動が基本である。また、光記録及び／または再生機器は高密度化を要求するだけでなく、次第に小型化、軽量化されつつある。
【０００６】
高密度化のために光ピックアップアクチュエータは、既存の２軸駆動から外れてチルト方向駆動を含む３軸、４軸駆動を必要とする。すなわち、近来では、高密度化のために対物レンズの開口数が増加し、光源の波長が短くなって、光ピックアップアクチュエータのチルトマージンが減少するにつれて、既存の２軸駆動に加えてチルト方向駆動まで可能な３軸駆動または４軸駆動光ピックアップアクチュエータが要求されている。３軸駆動は、フォーカス方向、トラッキング方向及びラジアルチルト方向駆動を意味し、４軸駆動は、フォーカス方向、トラッキング方向、ラジアルチルト方向及びタンジェンシャルチルト方向駆動を意味する。光ピックアップアクチュエータを２軸、３軸または４軸駆動できるか否かは、磁気回路構成によって決定される。
【０００７】
前記のようなフォーカス及びトラッキング駆動だけでなく、チルト駆動まで要求する趨勢に付加して、光記録及び／または再生機器の高倍速化のためにさらに高感度光ピックアップアクチュエータが要求されている。
【０００８】
現在、開発及び商用化されつつある高密度の光情報保存媒体、例えば、Ｂｌｕ−ｒａｙ  Ｄｉｓｃ（以下、ＢＤという）は、ＣＤやＤＶＤに比べてはるかに高感度光ピックアップアクチュエータを必要とする。
【０００９】
例えば、ＢＤ用４倍速光記録及び／または再生機器は、記録型ＤＶＤ用１６倍速光記録及び／または再生機器に相応するか、またはそれ以上の感度を有する高感度の光ピックアップアクチュエータを必要とする。
【００１０】
しかし、現在、本技術分野で公知の光ピックアップアクチュエータは、記録型ＤＶＤ１６倍速用として使用できるほどの感度を有する。
【００１１】
このように、現在公知の技術としては、記録型ＤＶＤ１６倍速用として使用されうる感度が得られ、このような技術を、ＢＤ用光記録及び／または再生機器に適用する時、本発明者が検討したところによれば、ＢＤ４倍速用程度までのみ対応が可能である。ＢＤの高倍速化において、最大の問題点のうち一つは、光ピックアップアクチュエータの必要感度の増加である。
【００１２】
したがって、ＢＤ及び／またはＤＶＤ用光記録及び／または再生機器のさらなる高倍速化を実現するためには、さらに高い感度を有する新概念の光ピックアップアクチュエータが要求される。
【発明の開示】
【発明が解決しようとする課題】
【００１３】
本発明は、前記のような点を勘案して案出されたものであって、高倍速で要求される高感度を十分に実現できる磁気回路並びにそれを採用した光記録及び／または再生機器を提供するところにその目的がある。
【課題を解決するための手段】
【００１４】
前記目的を解決するための本発明による光ピックアップ用磁気回路は、相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、それぞれが前記第１ないし第４磁石部のうち２つの磁石部とそれぞれ相互作用するように、一方向に配置される第１ないし第３トラックコイルを含むトラックコイル部と、を含むことを特徴とする。
【００１５】
ここで、第１ないし第４フォーカスコイルを含み、前記第１ないし第４フォーカスコイルのうち２つのフォーカスコイルが、前記第１及び第３磁石部と相互作用するように前記一方向と交差する他の方向に配置された前記トラックコイルの両側に配置され、残りの２つのフォーカスコイルが、前記第２及び第４磁石部と相互作用するように前記他の方向に配置された前記トラックコイルの両側に配置されるフォーカスコイル部をさらに含みうる。
【００１６】
前記第１ないし第３トラックコイルそれぞれは、複数層構造より形成されうる。
【００１７】
前記目的を解決するための本発明による磁気回路は、相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、第１ないし第４フォーカスコイルを含み、前記第１ないし第４フォーカスコイルのうち２つのフォーカスコイルが、前記第１及び第３磁石部と相互作用するようにフォーカス方向に配置され、残りの２つのフォーカスコイルが、前記第２及び第４磁石部と相互作用するようにフォーカス方向に配置されるフォーカスコイル部を含むことを特徴とする。
【００１８】
ここで、前記第１ないし第４フォーカスコイルそれぞれは、複数層構造より形成されうる。
【００１９】
前記フォーカスコイルは、フォーカス駆動とチルト駆動とに使用されうる。
【００２０】
代案として、前記第１ないし第４フォーカスコイルと重畳されるように配置された第１ないし第４チルトコイルを含むチルトコイルをさらに含みうる。
【００２１】
ここで、前記第１ないし第４チルトコイルそれぞれは、複数層構造より形成されうる。
【００２２】
以上のコイルのうち少なくとも一部は、微細パターンコイルより形成されうる。
【００２３】
前記磁石は、４極の平面磁石や第１及び第３磁石部よりなる２極の平面磁石と第２及び第４磁石部よりなる２極の平面磁石とを結合させたもののうち何れか一つよりなりうる。
【００２４】
前記目的を解決するために本発明は、対物レンズを駆動するアクチュエータを備え、光情報保存媒体の半径方向に移動可能に設置されて光情報保存媒体から／に情報を再生／記録する光ピックアップと、該光ピックアップをサーボ制御するための制御部とを含む光記録及び／または再生機器において、前記アクチュエータは、対物レンズが搭載されるレンズホルダーと、前記レンズホルダーがベースに対して動けるように、一端が前記レンズホルダーの側面に固定され、他端が前記ベース上の片側に設けられたホルダーに固定される支持部材と、前記レンズホルダーの両側面及びベースに設置された相互に対向する一対の磁気回路と、を含み、前記磁気回路は、相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、それぞれが前記第１ないし第４磁石部のうち２つの磁石部とそれぞれ相互作用するように、一方向に配置される第１ないし第３トラックコイルを含むトラックコイル部を含むことを特徴とする。
【００２５】
ここで、第１ないし第４フォーカスコイルを含み、前記第１ないし第４フォーカスコイルのうち２つのフォーカスコイルが、前記第１及び第３磁石部と相互作用するように前記一方向と交差する他の方向に配置された前記トラックコイルの両側に配置され、残りの２つのフォーカスコイルが、前記第２及び第４磁石部と相互作用するように前記他の方向に配置された前記トラックコイルの両側に配置されるフォーカスコイル部をさらに含みうる。
【００２６】
前記目的を解決するために本発明は、対物レンズを駆動するアクチュエータを備え、光情報保存媒体の半径方向に移動可能に設置されて光情報保存媒体から／に情報を再生／記録する光ピックアップと、該光ピックアップをサーボ制御するための制御部とを含む光記録及び／または再生機器において、前記アクチュエータは、対物レンズが搭載されるレンズホルダーと、前記レンズホルダーがベースに対して動けるように、一端が前記レンズホルダーの側面に固定され、他端が前記ベース上の片側に設けられたホルダーに固定される支持部材と、前記レンズホルダーの両側面及びベースに設置された相互に対向する一対の磁気回路と、を含み、前記磁気回路は、相互隣接し、互いに逆に着磁された第１及び第２磁石部と、前記第１磁石部を取り囲み、前記第１磁石部と逆に着磁された第３磁石部と、前記第２磁石部を取り囲み、前記第２磁石部と逆に着磁された第４磁石部と、を含む磁石と、第１ないし第４フォーカスコイルを含み、前記第１ないし第４フォーカスコイルのうち２つのフォーカスコイルが、前記第１及び第３磁石部と相互作用するようにフォーカス方向に配置され、残りの２つのフォーカスコイルが、前記第２及び第４磁石部と相互作用するようにフォーカス方向に配置されるフォーカスコイル部を含むことを特徴とする。
【００２７】
前記フォーカスコイルは、フォーカス駆動とチルト駆動とに使用されうる。
代案として、前記第１ないし第４フォーカスコイルと重畳されるように配置された第１ないし第４チルトコイルを含むチルトコイルをさらに含みうる。
【発明の効果】
【００２８】
本発明による光記録及び／または再生機器は、記録型ＤＶＤ用として使われる時には、十分に１６倍速以上の高倍速を実現でき、ＢＤ用として使われる時には、十分に４倍速以上の高倍速を実現できる。
【００２９】
もちろん、本発明による光記録及び／または再生機器は、当然に前記のような倍速以外の他の倍速、例えば、記録型ＤＶＤ用１６倍速以下、ＢＤ用４倍速以下の光記録及び／または再生機器にも使用されうる。
【００３０】
前記のような本発明によれば、高倍速で要求するフォーカス、トラッキング及び／またはチルト駆動における高感度を十分に実現できる。
【発明を実施するための最良の形態】
【００３１】
以下、添付された図面を参照して本発明を詳細に説明する。
【００３２】
図１は、本発明による磁気回路を採用した光ピックアップアクチュエータを概略的に示す斜視図である。図１で、Ｆはフォーカス方向、Ｔはトラッキング方向（ディスク型光情報保存媒体の半径方向に対応）、Ｔｒはラジアルチルト方向、Ｔｔはタンジェンシャルチルト方向を表す。
【００３３】
図１を参照すれば、本発明による光ピックアップアクチュエータは、ベース１０に動作可能に設置され、対物レンズ１４が搭載されるレンズホルダー１５と、前記レンズホルダー１５がベース１０に対して動けるようにレンズホルダー１５の側面１５ｃ，１５ｄに一端が固定され、ベース１０上の片側に設けられたホルダー１２に他端が固定される支持部材１６と、前記レンズホルダー１５の両側面１５ａ，１５ｂ及びベース１０に設置された相互に対向する一対の磁気回路と、を含んで構成される。
【００３４】
また、本発明による光ピックアップアクチュエータは、図１に例示したように、磁気回路の磁石３１で発生した磁束をガイドするための磁石３１が固設される外側ヨーク２１及びその内側ヨーク２３をさらに備える。但し、外側ヨーク２１及び内側ヨーク２３のうち何れか一つのみを備えることも可能である。図１に示されたように、光ピックアップアクチュエータは、内側ヨーク２３と外側ヨーク２１の両方を含みうる。
【００３５】
前記支持部材１６は、レンズホルダー１５の磁気回路が配置される側面１５ａ，１５ｂとは異なる側面１５ｃ，１５ｄに固定されることが望ましく、ワイヤ及び板バネのうち何れか一方よりなりうる。
【００３６】
図１は、本発明による光ピックアップアクチュエータが６本のワイヤを備えた例を示す図面である。この６本のワイヤをいずれも支持部材１６として使用するか、またはこのうち４本のワイヤのみを支持部材１６として使用することも可能である。
【００３７】
前記各磁気回路として本発明による磁気回路を使用すれば、２軸駆動、３軸駆動及び４軸駆動が何れも可能であるので、本発明による光ピックアップアクチュエータに備えられるワイヤの数は、本発明による光ピックアップアクチュエータを２軸、３軸及び４軸駆動のうちいかなる駆動用として使用するかによって変わる。ここで、２軸、３軸、４軸駆動の意味は前述したので、ここでは反復説明は省略する。
【００３８】
図２を参照すれば、各磁気回路は、磁石３１と、レンズホルダー１５を含む可動部をトラッキング方向に駆動するためのトラックコイル４０と、レンズホルダー１５をフォーカス方向に駆動するためのフォーカスコイル５０と、を含む。
【００３９】
前記磁石３１は、前記トラックコイル４０及びフォーカスコイル５０と対向するように位置する。図３を参照すれば、前記磁石３１は、互いに逆方向に着磁され、相互隣接した第１及び第２磁石部３３，３５と、前記第１磁石部３３を取り囲み、前記第１磁石部３３と逆に着磁された第３磁石部３７と、前記第２磁石部３５を取り囲み、前記第２磁石部３５と逆に着磁された第４磁石部３９と、を含む。前記第３及び第４磁石部３７，３９の両端部は、互いに隣接する。
【００４０】
前記第３磁石部３７は、第１磁石部３３の３面を取り囲んでおり、前記第４磁石部３９は、第２磁石部３５の３面を取り囲んでいる。
【００４１】
図３では、例示として、前記トラックコイル４０及びフォーカスコイル５０に向かって見た時、第１及び第４磁石部３３，３９はＳ極に着磁され、第２及び第３磁石部３５，３７はＮ極に着磁された場合を示す。ここで、第１ないし第４磁石部３３，３５，３７，３９の着磁方向は、図３と逆に変わることもある。
【００４２】
図３に示されたような着磁構造を有する前記磁石３１は、４極を同時に着磁して形成された４極の平面磁石でありうる。また、前記磁石３１は、第１及び第３磁石部３３，３７と第２及び第４磁石部３５，３９とをそれぞれ２極着磁によって形成した一対の２極の平面磁石を互いに結合（接合）して形成されることもある。
【００４３】
前記トラックコイル４０は、第１及び第３磁石部３３，３７と相互作用する第１トラックコイル４１、第１及び第２磁石部３３，３５と相互作用する第２トラックコイル４３、第２及び第４磁石部３５，３９と相互作用する第３トラックコイル４５を含む。
【００４４】
前記第１ないし第３トラックコイル４１，４３，４５は、一方向、さらに望ましくは、図２に示されたように、トラッキング方向に配置される。この第１ないし第３トラックコイル４１，４３，４５の両側が有効トラックコイル４０として使われる。
【００４５】
前記フォーカスコイル５０は、第１ないし第４フォーカスコイル５１，５３，５５，５７を含む。前記第１及び第３フォーカスコイル５１，５５は、第１及び第３磁石部３３，３７と相互作用するように前記一方向と交差する他の方向、さらに望ましくは、フォーカス方向にトラックコイル４０の両側に配置され、第２及び第４フォーカスコイル５３，５７は、第２及び第４磁石部３５，３９と相互作用するようにフォーカス方向にトラックコイル４０の両側に配置される。
【００４６】
前記トラックコイル４０及びフォーカスコイル５０のうち少なくとも一つは、微細パターンコイルよりなりうる。微細パターンコイルは、フィルム上にコイル形をパターニングして製造されるものであって、厚さが薄くてアクチュエータの可動部の重さを減らし、アクチュエータのコンパクト化に大きく寄与できる利点がある。図２は、前記トラックコイル４０及びフォーカスコイル５０が、何れも単一フィルム上に微細パターンコイルに形成された例を示す。
【００４７】
本発明において、前記トラックコイル４０及びフォーカスコイル５０は、何れも複数層構造の微細パターンコイルに形成しうる。
【００４８】
すなわち、前記トラックコイル４０は、第１ないし第３トラックコイル４１，４３，４５それぞれを複数層、例えば、４層に積層形成した構造を有しうる。また、前記フォーカスコイル５０は、第１ないし第４フォーカスコイル５１，５３，５５，５７それぞれを複数層、例えば、２層に積層形成した構造を有しうる。
【００４９】
微細パターンコイルで、コイルパターンとコイルパターンとの間に絶縁物質を位置させれば、コイルパターンを複数層構造に形成できるため、前記トラックコイル４０及び／またはフォーカスコイル５０を複数層構造に形成することが十分に可能である。
【００５０】
一方、本発明による磁気回路は、チルト駆動のために、チルトコイル７０をさらに備えうる。
【００５１】
前記チルトコイル７０は、フォーカスコイル５０と同じ位置に同じ構造より配置されうる。すなわち、チルトコイル７０は、フォーカスコイル５０と同様に、第１ないし第４チルトコイル７１，７３，７５，７７を備え、この第１ないし第４チルトコイル７１，７３，７５，７７がそれぞれ第１ないし第４フォーカスコイル５１，５３，５５，５７と重畳されるように配置されうる。
【００５２】
したがって、図２では、フォーカスコイル５０にチルトコイル７０が重畳されるように配置されうるという点を考慮して、フォーカスコイル５０とチルトコイル７０とを同じ位置に同じ構造より形成されると表した。
【００５３】
前記チルトコイル７０も微細パターンコイルに形成しうる。ここで、前記トラックコイル４０、フォーカスコイル５０及びチルトコイル７０を、何れも微細パターンコイルに形成することがさらに望ましい。
【００５４】
この時、チルトコイル７０も前記トラックコイル４０及びフォーカスコイル５０と同様に、第１ないし第４チルトコイル７１，７３，７５，７７それぞれを複数層、例えば、２層に積層形成した構造を有しうる。
【００５５】
トラックコイル４０、フォーカスコイル５０及びチルトコイル７０を、何れも複数層構造の微細パターンコイルに形成する場合、工程を最も簡略化する方法は、同じマスクパターンを使用して各層のコイルパターンをパターニングすることでありうる。このような点を考慮して、各層のコイルパターンが、図２に示されたコイル配置を有するように形成して、フォーカスコイル５０及びチルトコイル７０の積層数の和とトラックコイル４０の積層数とを同一にしうる。
【００５６】
この場合、チルトコイル７０及びフォーカスコイル５０が重畳されるように配置されるので、前記トラックコイル４０を４層構造に形成する場合、前記フォーカスコイル５０及びチルトコイル７０を、それぞれ２層構造に形成するか、またはフォーカス感度をさらに高めるために、フォーカスコイル５０を３層構造に形成し、チルトコイル７０を単層構造に形成することもある。
【００５７】
以上では、前記トラックコイル、フォーカスコイル５０及びチルトコイル７０を複数層構造に形成する場合を説明したが、本発明は、これに限定されず、このコイルは、単層構造に形成されることも可能である。また、以上ではフォーカスコイル５０及びチルトコイル７０と、トラックコイル４０とが互いに重畳されていない場合を説明及び図示したが、フォーカスコイル５０及びチルトコイル７０と、トラックコイル４０とが一部重畳されるように形成して、磁気回路をそのフォーカス方向による幅がさらに狭くなるように構成することも可能である。
【００５８】
前記のような本発明による磁気回路を備えた光ピックアップアクチュエータは、可動部を２軸駆動して、フォーカス方向及びトラッキング方向に動かすことができる。
【００５９】
加えて、各磁気回路の第１及び第３チルトコイル７１，７５と第２及び第４チルトコイル７３，７７とに非同期信号、すなわち、位相が逆である信号を入力すれば、可動部をラジアルチルト方向に調節できて３軸駆動が可能である。もちろん、この場合には、６個のワイヤを必要とする。
【００６０】
前述したように、本発明による磁気回路を備えた光ピックアップアクチュエータは、可動部の２軸または３軸駆動が可能である。ここで、３軸駆動は、フォーカス方向、トラッキング方向及びラジアルチルト方向駆動を意味する。
【００６１】
また、本発明による光ピックアップアクチュエータには、一対の磁気回路が備えらえているため、ボビン１５の一方の側面１５ａに配置される磁気回路は下方に磁気力が作用し、ボビン１５の他方の側面１５ｂに配置される磁気回路は上方に磁気力が作用するように、非同期信号を入力して駆動すれば、可動部をタンジェンシャルチルト方向に駆動しうる。
【００６２】
したがって、一対の磁気回路の第１ないし第４チルトコイル７１，７３，７５，７７に印加される電流を、前記のように制御すれば、本発明による光ピックアップアクチュエータに可動部を４軸駆動することが可能である。
【００６３】
また、以上では、本発明による磁気回路がフォーカスコイル５０及びチルトコイル７０を別々に備えると説明し、図示したが、本発明はこれに限定されない。
【００６４】
すなわち、フォーカスコイル５０及びチルトコイル７０を別々に備える代わりに、チルトコイル７０は排除し、フォーカスコイル５０をフォーカス駆動に加えてチルト駆動用として使用することもある。
【００６５】
本発明による磁気回路がフォーカスコイル５０として第１ないし第４フォーカスコイル５１，５３，５５，５７を使用するので、例えば、第１及び第３フォーカスコイル５１，５５には、＋フォーカス方向にチルト駆動のための電磁気力が作用し、第２及び第４フォーカスコイル５３，５７には、−フォーカス方向にチルト駆動のための電磁気力が作動するように、位相が互いに逆であるチルト駆動信号を第１及び第３フォーカスコイル５１，５５と、第２及び第４フォーカスコイル５３，５７とに印加すれば、チルト駆動をなしうる。もちろん、このようなチルト駆動は、フォーカス駆動と同時になされうる。すなわち、第１及び第３フォーカスコイル５１，５５と、第２及び第４フォーカスコイル５３，５７とに位相が同じフォーカス駆動信号を印加してフォーカス駆動中に、前記のように非同期チルト駆動信号を印加すれば、フォーカス駆動と同時にチルト駆動されうる。
【００６６】
このように、本発明による磁気回路をフォーカスコイル５０をフォーカス駆動に加えてチルト駆動用として使用する場合の構造は、前記より十分に類推できるので、これについての図示は省略する。
【００６７】
一方、以上では、コイルを微細パターンコイルより形成する場合を説明したが、本発明はこれに限定されず、コイルのうち少なくとも一部に銅線を巻いて作ったバルクタイプのコイルを備えることもある。
【００６８】
この時、バルクタイプのコイルを備える場合においても、微細パターンコイルでコイルパターンを複数層構造にした場合に対応するように単一コイルの巻線数を多くするか、または複数の単一コイルを積層構造で設置することも可能である。
【００６９】
前記のような本発明による磁気回路を利用すれば、従来に比べてはるかに高感度を実現できる。
【００７０】
本発明による磁気回路が、従来に比べてはるかに高感度を実現できることを、トラッキング制御の場合を例として説明すれば、次の通りとなる。
【００７１】
図４は、従来の磁気回路の一例を概略的に示すものであって、このような磁気回路は、例えば、５２倍速用ＣＤ−ＲＯＭに適用される。図５は、従来の磁気回路の他の例を概略的に示す図面であって、このような磁気回路は、例えば、ＤＶＤ−ＲＯＭ１６倍速用に適用される。図４及び図５では、便宜上、フォーカスコイル５０の図示は省略した。図４及び図５で、左右方向はトラッキング方向であり、上下方向はフォーカス方向である。
【００７２】
図４に示された従来の磁気回路は、単極着磁磁石１３１と一対のトラックコイル１４０とを備える。図４に示された磁気回路では、トラックコイル１４０の約１／４ほどのみがトラッキング制御に使われる。このような構造の磁気回路では、トラッキング感度が約４０〜５０μｍ／Ｖほどになると知られている。ここで、Ｖはボルトを意味する。
【００７３】
図５に示された従来の磁気回路は、互いに逆に着磁された第１及び第２磁石部２３３，２３５を有する磁石２３１と、第１及び第２磁石部２３３，２３５と相互作用する一つのトラックコイル２４０とを備える。図５に示された磁気回路では、トラックコイル２４０の約１／２ほどがトラッキング制御に使われる。このような構造の磁気回路では、トラッキング感度が約６０〜７０μｍ／Ｖほどになると知られている。
【００７４】
図５に示されたように、トラッキング制御に使われるトラックコイルは、４面のうち２面を使用できるが、それ以上のトラックコイルの使用効率を具現することは難しい。
【００７５】
したがって、トラッキング感度をさらに高めるためには、使われるトラックコイルの数を増やす必要がある。
【００７６】
すなわち、最小限トラックコイルの１／２ほどをトラッキング制御に使用し、トラックコイルの数を増やさなければトラッキング制御において駆動力向上を期待できない。
【００７７】
本発明は、このようなトラッキングの高感度要求を十分に満足させる。
【００７８】
すなわち、本発明による磁気回路は、単層のコイルパターンのみを考慮する時にも、４面のうち２面が使われるトラックコイル４０の数を３個に増やせる。また、微細パターンコイルを備え、コイルパターンを複数層構造に形成すれば、トラックコイル４０の数を３の倍数に増やせる。
【００７９】
したがって、本発明による磁気回路は、記録型ＤＶＤ１６倍速用で要求されるトラッキング感度よりも高感度のトラッキング感度、例えば、１５０μｍ／Ｖ以上のトラッキング感度を実現できる。本発明者は、記録型ＤＶＤ１６倍速用を実現するためには、約１００±１０μｍ／Ｖのトラッキング感度が要求されるという点を確認した。本発明は、高感度トラッキングを実現できるため、記録型ＤＶＤ１６倍速用またはそれ以上で要求されるトラッキング感度を充足させうる。
【００８０】
一方、本発明による磁気回路は、単層のコイルパターンのみを考慮する時にも、４面のうち２面が使われるフォーカスコイル５０の数を４個にできる。また、微細パターンコイルを備え、コイルパターンを複数層構造に形成すれば、フォーカスコイル５０の数を４の倍数に増やせる。
【００８１】
したがって、本発明による磁気回路は、フォーカス制御に対しても高感度を実現できる。すなわち、トラッキング感度と同様に、高感度のフォーカス感度、例えば、１５０μｍ／Ｖ以上のフォーカス感度を実現できる。
【００８２】
また、本発明による磁気回路は、単層のコイルパターンのみを考慮する時にも、４面のうち２面が使われるチルトコイル７０の数を４個にできる。これは、フォーカスコイル５０をチルト駆動に兼用しても、または別途のチルトコイル７０を備えても同様である。
【００８３】
したがって、本発明による磁気回路は、十分なチルト感度が得られ、チルトコイル７０の使用効率を十分に高めうる。
【００８４】
一方、以上では、図１ないし図３を参照として、本発明による磁気回路がフォーカス駆動のための磁気回路、トラッキング駆動のための磁気回路及びチルト駆動のための磁気回路を備える場合を説明及び図示したが、これは例示のみであって、本発明による磁気回路は、図１ないし図３を参照として以上で説明したようなフォーカス駆動のための磁気回路、トラッキング駆動のための磁気回路、及びチルト駆動のための磁気回路のうち少なくとも何れか一つを備え、残りの構成は多様に変形されうる。
【００８５】
このような、本発明による磁気回路の多様な変形例については、本技術分野で公知の技術事項と前記望ましい実施の形態とから十分に類推できるので、その詳細な説明は省略する。
【００８６】
図６は、本発明による光ピックアップアクチュエータを採用した光記録及び／または再生機器の構成を概略的に示す図面である。
【００８７】
図６を参照すれば、光記録及び／または再生機器は、光情報保存装置、例えば、光ディスクＤを回転させるためのスピンドルモータ４５５と、前記光ディスクＤの半径方向に移動可能に設置されて光ディスクから／に情報を再生及び／または記録する光ピックアップ４５０と、スピンドルモータ４５５と光ピックアップ４５０とを駆動するための駆動部４５７と、光ピックアップ４５０のフォーカス、トラッキング及び／またはチルトサーボを制御するための入力電圧ＶＤを有する制御部４５９と、を含む。ここで、４５２はターンテーブル、４５３は光ディスクＤをチャッキングするためのクランプを表す。
【００８８】
光ピックアップ４５０は、光源から出射された光を光ディスクＤに集束させる対物レンズ１４を含む光ピックアップ光学系と、この対物レンズ１４を駆動するための光ピックアップアクチュエータとを含む。前記光ピックアップアクチュエータとしては、前述した本発明による磁気回路を備えた光ピックアップアクチュエータを使用する。
【００８９】
光ディスクＤから反射された光は、光ピックアップ４５０に設けられた光検出器を通じて検出され、光電変換されて電気的信号に変わり、この電気的信号は、駆動部４５７を通じて制御部４５９に入力される。前記駆動部４５７は、スピンドルモータ４５５の回転速度を制御し、入力された信号を増幅させ、光ピックアップ４５０を駆動する。前記制御部４５９は、駆動部４５７から入力された信号に基づいて調節されたフォーカスサーボ、トラッキングサーボ及び／またはチルトサーボ命令を再び駆動部４５７に送り、光ピックアップ４５０のフォーカシング、トラッキング及び／またはチルトサーボ動作を具現する。
【産業上の利用可能性】
【００９０】
本発明による光ピックアップ用磁気回路は、光記録及び／または再生機器に対物レンズを駆動するためのアクチュエータに適用可能である。
【図面の簡単な説明】
【００９１】
【図１】本発明による磁気回路を採用した光ピックアップアクチュエータを概略的に示す斜視図である。
【図２】図１の磁気回路を概略的に示す図面である。
【図３】図２の磁石のみを抜粋して示す平面図である。
【図４】従来の磁気回路の一例を概略的に示す図面である。
【図５】従来の磁気回路の他の例を概略的に示す図面である。
【図６】本発明による光ピックアップアクチュエータを採用した光記録及び／または再生機器の構成を概略的に示す図面である。
【符号の説明】
【００９２】
１４  対物レンズ
１５  レンズホルダー
１５ａ、１５ｂ、１５ｃ、１５ｄ  側面
１６  支持部材
【図１】
2005182988.tif 000003
【図２】
2005182988.tif 000004
【図３】
2005182988.tif 000005
【図４】
2005182988.tif 000006
【図５】
2005182988.tif 000007
【図６】
2005182988.tif 000008